(57)【要約】【課題】易剥離性粘着テープにおいて、非粘着部の存在を容易に認識でき、貼着した粘着テープを使用後に貼着対象物から容易に剥離できることを課題する。【解決手段】長尺のテープ本体の一面３に容器又は包装に接着可能な粘着部５を設けると共に、前記一面の少なくとも一方の側部に連続又は不連続の非粘着部６を設けた粘着テープ２であって、前記非粘着部６の位置を認識可能な剥離部指示表示部７を設けることを特徴とする。【選択図】    図１
2005008778.tif 000002
【特許請求の範囲】
【請求項１】
長尺のテープ本体の一面に容器又は包装に接着可能な粘着部を設けると共に、前記一面の少なくとも一方の側部に連続又は不連続の非粘着部を設けた易剥離性粘着テープであって、
前記非粘着部の位置を認識可能な剥離部指示表示部を設けることを特徴とする易剥離性粘着テープ。
【請求項２】
前記非粘着部は幅狭部と幅広部とを有し、該幅広部に前記剥離部指示表示部を設けることを特徴とする請求項１記載の易剥離性粘着テープ。
【請求項３】
前記剥離部指示表示部は、矢印を付することにより形成されることを特徴とする請求項１又は２に記載の易剥離性粘着テープ。
【請求項４】
前記剥離部指示表示部は、前記粘着部とは異なる色彩により形成されることを特徴とする請求項１又は２に記載の易剥離性粘着テープ。
【請求項５】
長尺のテープが巻回された巻体からテープを剥離する場合のテープの剥離方向を認識可能な剥離方向指示表示部を設けることを特徴とする請求項１乃至４のいずれかに記載の易剥離性粘着テープ。
【請求項６】
前記剥離部指示表示部に、広告表示部を設けたことを特徴とする請求項１乃至５のいずれかに記載の易剥離性粘着テープ。
【発明の詳細な説明】
【０００１】
【発明の属する技術分野】
本発明は、例えばプラスチック製又は紙製袋、プラスチック製又は紙製箱等の各種容器包装に貼着又は各種容器包装を封緘する粘着テープに関する。
【０００２】
【従来の技術】
従来、粘着テープは、長尺のテープの一面を粘着面とし、この粘着面を内側にして紙管に巻回し、使用時に一定長さを巻出して切断して、各種物品の結束、封緘或いは包装品や各種文房具類の仮止め等に用いられている。
【０００３】
そして、結束し或いは梱包している粘着テープを剥がす場合には、端部を見つけて爪で剥がし、その部分をつまんで引張って剥がすか、或いは直接刃物で切断している。この場合において、剥離を容易にするために、粘着テープの少なくとも一方の端縁線に沿って粘着剤が施されていない非粘着部を設けた易剥離性テープが提案されている（例えば、特許文献１参照）。
【０００４】
この易剥離性粘着テープによると、貼着対象物から剥離する場合、粘着テープの端部に粘着されずに浮いた部位が存在するため、この部位に指を入れて引張ることにより容易に剥離させることができる。
【０００５】
【特許文献１】
特開平１０−２３７４００号公報（第２頁〜第４頁、図３等）
【０００６】
【発明が解決しようとする課題】
【０００７】
しかしながら、前記従来の易剥離性粘着テープにおいては、例えば、湿度の高い場所での保管等されていた場合又は経時変化等により、粘着テープの端縁線に設けられた非粘着部が、貼着対象物に貼りついてしまい、非粘着部が浮き上がらず、貼着する使用者（例えば、スーパーマーケット等の小売業者）と剥離して使用する使用者（例えば、一般消費者）が相違する場合、剥離して使用する使用者は、そもそも、非粘着部が存在するか否かについての認識さえできない場合が生じる。
【０００８】
また、前記従来の易剥離性粘着テープは、長尺のテープを紙管等に巻回したものが一般に使用されており、使用時に必要長さを巻回状態から剥離して切断して貼着対象物に貼着するのであるが、巻回したテープを剥離する際に、端部がどこにあるのか認識できない場合があり、巻回状態からの剥離作業に手間取る場合が生じる。
【０００９】
本発明は、かかる事情に鑑みてなされたものであり、長尺のテープ本体の一面に容器又は包装に接着可能な粘着部を設けると共に、前記一面の少なくとも一方の側部に連続又は不連続の非粘着部を設けた粘着テープであって、前記非粘着部の位置を認識可能な剥離部指示表示部を設けた易剥離性粘着テープを提供することにより、非粘着部の存在を容易に認識でき、貼着した粘着テープを使用後に貼着対象物から容易に剥離できることを目的としている。
【００１０】
また、本発明の他の目的は、巻体からテープを剥離する場合のテープの剥離方向を認識可能な剥離方向指示表示部を設けることにより、巻回されている易剥離性粘着テープを、使用時に容易に巻回状態から剥離できるようにすることを目的としている。
【００１１】
【課題を解決するための手段】
請求項１に記載の易剥離性粘着テープは、長尺のテープ本体の一面に容器又は包装に接着可能な粘着部を設けると共に、前記一面の少なくとも一方の側部に連続又は不連続の非粘着部を設けた粘着テープであって、前記非粘着部の位置を認識可能な剥離部指示表示部を設けることを特徴とする。
【００１２】
請求項１に記載の発明にあっては、非粘着部の存在を容易に認識でき、貼着対象物から容易に剥離することができる。
【００１３】
請求項２に記載の易剥離性粘着テープは、請求項１記載の易剥離性粘着テープにおいて、前記非粘着部は幅狭部と幅広部とを有し、該幅広部に前記剥離部指示表示部を設けることを特徴とする。
【００１４】
請求項２に記載の発明にあっては、非粘着部の幅狭部によって、非粘着部が不用意に浮き上がるのを阻止できる。
【００１５】
請求項３に記載のの易剥離性粘着テープは、請求項１又は２に記載の易剥離性粘着テープにおいて、前記剥離部指示表示部は、矢印を付することにより形成されることを特徴とする。
【００１６】
請求項３に記載の発明にあっては、矢印によって、非粘着部の存在を容易に認識でき、貼着対象物から容易に剥離することができる。
【００１７】
請求項４に記載の易剥離性粘着テープは、請求項１又は２に記載の易剥離性粘着テープにおいて、前記剥離部指示表示部は、前記粘着部とは異なる色彩により形成されることを特徴とする。
【００１８】
請求項４に記載の発明にあっては、前記剥離部指示表示部は、粘着部とは異なる色彩により形成されているので、非粘着部の存在を容易に認識でき、貼着対象物から容易に剥離することができる。
【００１９】
請求項５に記載の易剥離性粘着テープは、請求項１乃至４のいずれかに記載の易剥離性粘着テープにおいて、長尺のテープが巻回された巻体からテープを剥離する場合のテープの剥離方向を認識可能な剥離方向指示表示部を設けることを特徴とする。
【００２０】
請求項５に記載の発明にあっては、巻回されている粘着テープを、使用時に巻回状態から容易に剥離することができる。
【００２１】
請求項６に記載の易剥離性粘着テープは、請求項１乃至５のいずれかに記載の易剥離性粘着テープにおいて、前記剥離部指示表示部に、広告表示部を設けたことを特徴とする。
【００２２】
請求項６に記載の発明にあっては、粘着テープに企業広告を印刷等することができる。
【００２３】
【発明の実施の形態】
以下、本発明の易剥離性粘着テープの実施の形態を図面に基づいて具体的に説明する。図１は、本発明の第１実施の形態に係る易剥離性粘着テープの巻回状態の斜視図、図２は易剥離性粘着テープの裏面図、図３は表面図である。
【００２４】
図１において、１は、厚紙等からなる略円環状の芯材である。該芯材１には、セロハン製の易剥離性粘着テープ２が巻回されており、使用時には、長尺に形成された前記易剥離性粘着テープ２適宜長さに切断して使用する。前記易剥離性粘着テープ２の裏面３側の中央部には、図２に示すように、長手方向に沿ってゴム系等の粘着材を塗布した粘着部５を設け、且つその側方両端部（側部）には粘着材を塗布せずに構成した非粘着部６を設けている。
【００２５】
図３の図中４は、粘着テープ２の表面４であり、該表面４には、前記非粘着部６の位置を視覚で認識可能とすべく該非粘着部６における易剥離性粘着テープ２の端部寄り位置に印刷した剥離部指示表示部７としての矢印が印刷されている。すなわち、本実施形態では剥離部指示表示部７は矢印によって形成されており、該矢印の先端は、易剥離性粘着テープ２の非粘着部６における側部端縁を指し示す位置に形成されている。
【００２６】
なお、前記剥離部指示表示部７は粘着テープ２の全長に渡って、所定間隔を隔てて、繰り返し連続して設けられている。
【００２７】
なお、前記非粘着部６は、図４に示すように、易剥離性粘着テープ２の幅方向に広い幅広部６ａとそれより狭い幅狭部６ｂとを有する連続した波形状に形成してもよい。このように、非粘着部６を波形状に形成した場合は、貼着対象物に貼着した場合、幅狭部６ｂにより、非粘着部６の不用意な浮き上がりを防止できるとともに、幅広部６ａを摘んで引っ張ることにより、貼着対象物から容易に剥離することができる。
【００２８】
そして、図５に示すように、前記のように非粘着部６を波形状に形成した場合は、前記剥離部指示表示部７は、粘着テープ２の表面４における前記幅広部６ａと対応する位置に、前記剥離部指示表示部７を印刷するのである。これにより、前記幅広部６ａの存在を外部から容易に認識でき、貼着対象物からの剥離が容易となる。
【００２９】
前記非粘着部６は、裏面３の長手方向に連続的に形成されているが、所定の間隔を設けて、断続的に形成してもよい。また、前記のように非粘着部６を波形状に形成した場合は、前記幅狭部６ｂを設けず、一の波形毎に断続的に、非粘着部６を形成してもよい。
【００３０】
前述の実施の形態においては、前記剥離部指示表示部７を矢印にて形成したが、図６に示すように、表面４における非粘着部６と対応する部分の全体に斜線を印刷等の手段によって、施してもよい。また、図７に示すように、前記剥離部指示表示部７を、表面４における粘着部５に対応する部分と異なる色彩を施すことによって、形成してもよい。この場合において、色彩には、透明及び半透明を含む。
【００３１】
なお、前述の実施の形態では、前記剥離部指示表示部７を表面４に形成したが、粘着テープ２が透明又は半透明で有る場合等は、裏面３に印刷等を施すことにより、前記剥離部指示表示部７を形成してもよい。さらに、前記剥離部指示表示部７を、例えば、エンボス加工等を施すことにより、点字のように立体的処理を施すことにより形成してもよい。
【００３２】
また、上記実施形態では粘着テープ２の粘着部５の両側に非粘着部６を夫々設けたが、図８（イ）乃至（ハ）に示すように、一方側にのみ設けてもよい。
【００３３】
（第２実施形態）
図９は本件発明の第２の実施の形態を示す易剥離性粘着テープ２の表面図である。図中８は、巻回状態から粘着テープ２を剥離する場合の剥離方向を視覚により認識可能とするため、易剥離性粘着テープ２の表面４両端部に印刷した剥離方向指示表示部で、剥離すべき方向を矢印で示している。図９（イ）は、粘着テープ２の表面４における非粘着部６に対応する位置に、剥離方向指示表示部８たる矢印を印刷等したものであり、図９（ロ）は、粘着テープ２の表面４における粘着部５および非粘着部６に対応する位置に、剥離方向指示表示部８たる矢印を印刷等したものである。
【００３４】
このように、長尺の易剥離性粘着テープ２が芯材１に巻回された状態から、易剥離性粘着テープを剥離する場合の剥離方向を認識可能な剥離方向指示表示部を設けることにより、巻回されている易剥離性粘着テープ２を、使用時に巻回状態から容易に剥離することができる。
【００３５】
（第３実施形態）
図１０は本件発明の第３の実施の形態を示す易剥離性粘着テープ２の表面図である。図中９は、広告表示部であり、該広告表示部９は、表面４における非粘着部６と対応する部分の全体に斜線を施した部分又は表面４における粘着部５に対応する部分と異なる色彩を施した部分において、企業名称（又は略称）等の印刷を施して形成されている。
【００３６】
このように、剥離部指示表示部７に企業等の広告を表示する広告表示部９を設けることにより、粘着テープ自体が広告媒体となり、経済的付加価値を有するものとなる。
【００３７】
尚、前記広告表示部９に、家紋等のマークを表示することも可能である。かかる場合には、冠婚葬祭用の各種商品及びギフトの包装に好適なものとなる。
【００３８】
【発明の効果】
請求項１に記載の易剥離性粘着テープは、長尺のテープ本体の一面に容器又は包装に接着可能な粘着部を設けると共に、前記一面の少なくとも一方の側部に連続又は不連続の非粘着部を設けた粘着テープであって、前記非粘着部の位置を認識可能な剥離部指示表示部を設けているので、非粘着部の存在を容易に認識でき、貼着対象物から容易に剥離することができる。
【００３９】
請求項２に記載の易剥離性粘着テープは、請求項１記載の易剥離性粘着テープにおいて、前記非粘着部は幅狭部と幅広部とを有し、該幅広部に前記剥離部指示表示部を設けているので、さらに、非粘着部の幅狭部によって、非粘着部が不用意に浮き上がるのを阻止できる。
【００４０】
請求項３に記載のの易剥離性粘着テープは、請求項１又は２に記載の易剥離性粘着テープにおいて、前記剥離部指示表示部は、矢印を付することにより形成されているので、さらに、矢印によって、非粘着部の存在を容易に認識でき、貼着対象物から容易に剥離することができる。
【００４１】
請求項４に記載の易剥離性粘着テープは、請求項１又は２に記載の易剥離性粘着テープにおいて、前記剥離部指示表示部は、前記粘着部とは異なる色彩により形成されているので、さらに、非粘着部の存在を容易に認識でき、貼着対象物から容易に剥離することができる。
【００４２】
請求項５に記載の易剥離性粘着テープは、請求項１乃至４のいずれかに記載の易剥離性粘着テープにおいて、長尺のテープが巻回された巻体からテープを剥離する場合のテープの剥離方向を認識可能な剥離方向指示表示部を設けているので、さらに、巻回されている粘着テープを、使用時に巻回状態から容易に剥離することができる。
【００４３】
請求項６に記載の易剥離性粘着テープは、請求項１乃至５のいずれかに記載の易剥離性粘着テープにおいて、前記剥離部指示表示部に、広告表示部を設けているので、さらに、粘着テープに企業広告を印刷等することができる。
【図面の簡単な説明】
【図１】本発明の実施形態に係る粘着テープの斜視図。
【図２】本発明の実施形態に係る粘着テープの要部拡大裏面図。
【図３】本発明の実施形態に係る粘着テープの要部拡大表面図。
【図４】本発明の他の実施形態に係る粘着テープの要部拡大裏面図。
【図５】本発明の他の実施形態に係る粘着テープの要部拡大表面図。
【図６】本発明の他の実施形態に係る粘着テープの要部拡大表面。
【図７】本発明の他の実施形態に係る粘着テープの要部拡大表面。
【図８】（イ）乃至（ハ）は本発明の他の実施形態に係る粘着テープの要部拡大表面図。
【図９】（イ）及び（ロ）は本発明の第２の実施形態に係る粘着テープの要部拡大表面図。
【図１０】本発明の第３の実施形態に係る粘着テープの要部拡大表面図。
【符号の説明】
３…粘着テープの裏面、４…粘着テープの表面、５…粘着部、６…非粘着部、７…剥離部指示表示部、８…剥離方向指示表示部
【図１】
2005008778.tif 000003
【図２】
2005008778.tif 000004
【図３】
2005008778.tif 000005
【図４】
2005008778.tif 000006
【図５】
2005008778.tif 000007
【図６】
2005008778.tif 000008
【図７】
2005008778.tif 000009
【図８】
2005008778.tif 000010
【図９】
2005008778.tif 000011
【図１０】
2005008778.tif 000012